(57)【特許請求の範囲】
【請求項１】
操作ツマミに付けられた指標を裏面から透過照明する指標照明装置であって、
操作ツマミの裏面の固定側に配設された光源を設け、
操作ツマミを操作軸に取り付けられ外周の一部に透光窓を形成したツマミ本体とこのツマミ本体の表面に取り付けられるツマミカバーとで構成し、
ツマミ本体の前記透光窓を、
ツマミ本体の表面で光透過口の一端が開口した第１の透光部と
この第１の透光部の他端に接続されツマミ本体の裏面側で開口した第２の透光部とで構成し、
第２の透光部の形状を、ツマミ本体の表面側からツマミ本体の裏面側に向かって広くなる傾斜面で構成した
指標照明装置。
【請求項２】
ツマミカバーの裏面には、透光性であるとともにツマミ本体の第１の透光部に挿入される突起体を形成するとともに、このツマミカバーを光を拡散する拡散材を混合した樹脂で成形した
請求項１記載の指標照明装置。
【請求項３】
操作ツマミの挿通孔が穿設されたパネルには、固定側に配設された光源の外周部を囲むリブをこのパネルの背面に形成した
請求項１記載の指標照明装置。
【発明の詳細な説明】
【０００１】
【発明の属する技術分野】
本発明は、音響機器の音量調節などに使用される操作ツマミの指標照明装置に関するものである。
【０００２】
【従来の技術】
従来、この種の指標照明装置は、操作ツマミにプリント基板ごと保持固定することで指標照明されたものが知られている。
【０００３】
具体的には、図５に示すように、プリント基板１に実装された可変抵抗器２の操作軸３に取り付けられた操作ツマミ４には、指標となる透明の導光片５が埋め込まれている。６は操作ツマミ４の挿通孔７が穿設されている機器パネルである。
【０００４】
操作ツマミ４には、発光ダイオード８が実装された補助基板９が取り付けられており、補助基板９には前記プリント基板１から配線材１０を介して給電されて発光するように構成されている。
【０００５】
発光ダイオード８の光は導光片５を通して操作ツマミ４の外部に出射されて指標が表示され、操作ツマミ４の回転角度を指標の表示から確認できる。
【０００６】
【発明が解決しようとする課題】
このような指標照明装置においては、回転する操作ツマミ４に固定側の前記プリント基板１から配線材１０を介して給電しているため、回転する角度の制限がある。
【０００７】
また、操作ツマミに補助基板９を取り付けるために、操作ツマミ自身の構造も複雑になるとともに、操作ツマミが大型化する。
本発明は、回転する操作ツマミに発光ダイオードを設けることなく、しかも安定してむら無く指標を表示できる指標照明装置を提供することを目的とする。
【０００８】
【課題を解決するための手段】
本発明の指標照明装置は、固定側に設けた光源によって操作ツマミを裏面から照明して指標を表示するとともに、操作ツマミが回転して光源の照射位置と前記指標の位置とがずれても前記指標を明るく表示できるように、操作ツマミの側の光の導入孔の形状を、ツマミ本体の表面側からツマミ本体の裏面側に向かって広くなる適切な傾斜面で構成したことを特徴とする。
【０００９】
この本発明の構成によると、回転する操作ツマミに発光ダイオードを設けることなく、しかも安定してむら無く指標を表示できる。
【００１０】
【発明の実施の形態】
請求項１記載の指標照明装置は、操作ツマミに付けられた指標を裏面から透過照明する指標照明装置であって、操作ツマミの裏面の固定側に配設された光源を設け、操作ツマミを操作軸に取り付けられ外周の一部に透光窓を形成したツマミ本体とこのツマミ本体の表面に取り付けられるツマミカバーとで構成し、ツマミ本体の前記透光窓を、ツマミ本体の表面で光透過口の一端が開口した第１の透光部とこの第１の透光部の他端に接続されツマミ本体の裏面側で開口した第２の透光部とで構成し、第２の透光部の形状を、ツマミ本体の表面側からツマミ本体の裏面側に向かって広くなる傾斜面で構成したことを特徴とする。
【００１１】
請求項２記載の指標照明装置は、請求項１において、ツマミカバーの裏面には、透光性であるとともにツマミ本体の第１の透光部に挿入される突起体を形成するとともに、このツマミカバーを光を拡散する拡散材を混合した樹脂で成形したことを特徴とする。
【００１２】
請求項３記載の指標照明装置は、請求項１において、操作ツマミの挿通孔が穿設されたパネルには、固定側に配設された光源の外周部を囲むリブをこのパネルの背面に形成したことを特徴とする。
【００１３】
以下、本発明の各実施の形態を図１〜図４に基づいて説明する。
（実施の形態１）
図１〜図３は（実施の形態１）を示す。
【００１４】
プリント基板１に取り付けられたロータリーエンコーダ１１の操作軸１２に取り付けられた操作ツマミ１３は、図２に示すようにツマミ本体１３ａとこのツマミ本体１３ａの表面に取り付けられるツマミカバー１３ｂとで構成されている。１４は操作ツマミ１３の挿通孔１５が穿設されている機器パネルである。
【００１５】
操作ツマミ１３に対して固定側となるプリント基板１には、ロータリーエンコーダ１１の周りに光源としての発光ダイオード１６ａ，１６ｂ，１６ｃ，１６ｄが取り付けられている。
【００１６】
ツマミ本体１３ａには、スリット１７などで構成される透光窓１８が形成されている。詳しくは図２と図３に示すように、ツマミ本体１３ａの表面で光透過口の一端が開口した第１の透光部１９とこの第１の透光部１９の他端に接続されツマミ本体１３ａの裏面側で開口した第２の透光部２０とで構成されており、第２の透光部２０の形状は、ツマミ本体１３ａの表面側からツマミ本体１３ａの裏面側に向かって広くなる傾斜面２１で構成されている。
【００１７】
ツマミ本体１３ａは光を透過しない乳白色の樹脂で成形されているのに対して、前記ツマミカバー１３ｂは拡散材を混合した透光性の樹脂で成形されている。このツマミカバー１３ｂの裏面には、前記ツマミ本体１３ｂの第１の透光部１９に挿入される突起体２２が一体に形成されている。
【００１８】
ツマミ本体１３ａとツマミカバー１３ｂとを組み立てた状態では、突起体２２が図１（ｂ）と図３に示すようにツマミ本体１３ａの第１の透光部１９に挿入されており、前記発光ダイオードから出射した光は、ツマミ本体１３ａの第２の透光部２０からツマミカバー１３ｂの突起体２２に入射して、ツマミカバー１３ｂで拡散されて操作ツマミ１３の外部に放射されてツマミ本体１３ａの第１の透光部１９とツマミカバー１３ｂの突起体２２とで決められた指標を透過照明する。
【００１９】
なお、図３に示すように前記指標を形成する部分が前記発光ダイオードの中間位置に回転した状態では、操作ツマミ１３に透過照明される指標が暗くなることが予想されるが、この実施の形態ではツマミ本体１３ａの第２の透光部２０の入射側の形状を、ツマミ本体１３ａの表面側からツマミ本体の裏面側に向かって広くなる傾斜面２１に形成してあるため、図３に示す操作ツマミ１３の回転位置であっても良好に光が入射して指標が暗くならずに安定に表示できる。
【００２０】
さらに詳しくは、拡散材を混合したツマミカバー１３ｂに設けた突起体２２の側面では入光した可視光が反射することで可視光が指標部の以外に抜けるのを防ぎ、突起体２２の厚みが拡散材による効果を高め、発光ダイオードの真上に移動した際にはその光心を隠し、どの位置でも操作ツマミ１３の指標をムラなく表示できる。
【００２１】
また、固定側に発光ダイオード１６ａ〜１６ｄを配設して操作ツマミ１３を透過照明しているため、操作ツマミが大型化することがない。
また、３６０度以上に操作軸１２が回転するロータリーエンコーダ１１に取り付けられる操作ツマミであっても指標を透過照明することができる。
【００２２】
（実施の形態２）
図４は（実施の形態２）を示す。
この実施の形態では、発光ダイオード１６ａ〜１６ｄの外周部を囲むリブ２３を、機器パネル１４の背面に形成した点だけが（実施の形態１）とは異なっており、その他の点は（実施の形態１）と同じに構成されている。
【００２３】
このように構成したため、機器パネル１４に設けたリブ２３は発光ダイオード１６ａ〜１６ｄの光が指標の可動範囲外に逃げるのを防ぐとともに、リブ２３での反射により可動範囲内の光量を上げることができ指標のムラを無くすとともに指標を明るくする効果を得ることができる。
【００２４】
【発明の効果】
以上のように本発明によれば、きわめて簡単な構成で操作ツマミの指標照明を実現するとともに、線材による回転の制限をなくし、又、操作ツマミ自身の構造を簡素化、かつ、小型化を実現するという有利な効果が得られる。
【図面の簡単な説明】
【図１】本発明の指標照明装置の（実施の形態１）の正面図と縦断面図
【図２】同実施の形態の操作ツマミの分解斜視図
【図３】同実施の形態の詳細を示す断面図
【図４】本発明の指標照明装置の（実施の形態２）の詳細図
【図５】従来の指標照明装置の構成図
【符号の説明】
１    プリント基板
１２    ロータリーエンコーダの操作軸
１３    操作ツマミ
１３ａ    ツマミ本体
１３ｂ    ツマミカバー
１４    機器パネル
１５    操作ツマミの挿通孔
１６ａ，１６ｂ，１６ｃ，１６ｄ    発光ダイオード
１７    スリット
１８    透光窓
１９    第１の透光部
２０    第２の透光部
２１    傾斜面
２２    突起体
２３    リブ
【図１】
0003753549.tif 000002
【図２】
0003753549.tif 000003
【図３】
0003753549.tif 000004
【図４】
0003753549.tif 000005
【図５】
0003753549.tif 000006